(57)【要約】【課題】原稿台より大きな原稿を置いても操作面が隠れず操作できる位置に操作部を備える画像形成装置を提供する。【解決手段】装置本体１の上に搭載する圧板３の前面側に、ＬＣＤ等からなる操作表示部６やスタートキー７等を備える操作部１０を一体に備える。操作部１０は、上面を斜め上方に向け、装置本体１の前面側に立つ操作者が、操作表示部６等を見下ろして操作がしやすいだけでなく、表示内容を視認しやすくする。原稿台上に地図やポスターなどの大判原稿等を置いても、大判原稿の原稿台上からはみ出す部分よりも操作部１０のほうが上方に位置する。そのため、はみ出した大判原稿が操作部１０を上方から覆うことがなく、操作者は、大判原稿のはみ出し部分に邪魔されずに操作表示部６の表示内容を視認したり、操作したりすることが可能になる。【選択図】　　　　図３
2004015684.tif 000002
【特許請求の範囲】
【請求項１】
装置本体上に設けた圧板に、操作内容や動作内容を表示する操作部を設けてなることを特徴とする画像形成装置。
【請求項２】
請求項１の画像形成装置において、上記操作部の少なくとも操作面部の向きを可動にして備えることを特徴とする画像形成装置。
【請求項３】
請求項１の画像形成装置において、上記操作部を設けた部位を可動に支持してなることを特徴とする画像形成装置。
【発明の詳細な説明】
【０００１】
【発明の属する技術分野】本発明は、複写機、ファクシミリ、スキャナーまたはこれらの複合機等の画像読み取りを行う画像形成装置に関する。
【０００２】
【従来の技術及び発明が解決しようとする課題】
図１は従来の画像形成装置の全体構成を示す斜視図であり、図中１は装置本体、２は給紙部、３は圧板で、本例では自動原稿給紙装置（ＡＤＦ）を一体に備えた構成となっている。また図示は省略するが、装置本体１内には、画像読み取り部、感光体、現像装置等々の作像部や、画像を転写紙上に固定するための定着部等々を備え、装置本体１上面には原稿を圧板３との間で挟んで原稿読み取り部で画像を読み取らせるための原稿台（コンタクトガラス）を備えている。図中４は排紙部である。
【０００３】
この従来装置においては、種々の画像形成動作、画像形成後の画像送信等の動作を行うため及び動作内容を視認するための操作部５を、装置本体１の上部前方側に、上面を斜め上方に向けて備えている。図中６はＬＣＤ等からなる操作表示部、７はスタートキーである。また、テンキー等も備えているが、図示は省略してある。このような操作部５は、操作者が装置本体１の前面側に立つので、操作表示部６等を見下ろす形になり、操作がしやすいだけでなく、表示内容を視認しやすくなっている。
【０００４】
ところが、このような操作部５の位置では、原稿台上に地図やポスターなどの大判原稿８を置くと、図２に示すように、原稿台上からはみ出した大判原稿８が操作部５を上方から覆って隠してしまい、はみ出した部分を持ち上げて操作内容、動作内容を確認しなければならなくなる。このような動作は、非常に面倒なものであり、解決が望まれていた。
【０００５】
本発明は、上記従来の問題点にかんがみ、原稿台より大きな原稿を置いても操作面が隠れず操作できる位置に操作部を備える画像形成装置を提供することを目的とする。
【０００６】
【課題を解決するための手段】
本発明の請求項１に係る画像形成装置は、上記目的を達成するために、装置本体上に設けた圧板に、操作内容や動作内容を表示する操作部を設けてなることを特徴とする。なお本明細書において単に圧板というときは、いわゆる原稿押さえのための圧板と称されるものだけでなく、自動原稿給紙装置（ＡＤＦ）や自動両面反転原稿送り装置（ＡＲＤＦ）などの類似の装置、構成部材をも含む。
【０００７】
同請求項２に係るものは、上記目的を達成するために、請求項１の画像形成装置において、上記操作部の少なくとも操作面部の向きを可動にして備えることを特徴とする。
【０００８】
同請求項３に係るものは、上記目的を達成するために、請求項１の画像形成装置において、上記操作部を設けた部位を可動に支持してなることを特徴とする。
【０００９】
【発明の実施の形態】
以下本発明の実施の形態を図面を参照して説明する。なお以下では従来と共通する部分には共通する符号を付すにとどめ重複する説明は省略する。
図３は、本発明に係る画像形成装置の第１の実施形態を示す斜視図である。本実施形態の装置は、従来の装置とは異なり、圧板３の前面側に操作部１０を一体に備えている。操作部１０は、従来の装置と同様に上面を斜め上方に向けて、ＬＣＤ等からなる操作表示部６、スタートキー７等を備え、装置本体１の前面側に立った操作者が、操作表示部６等を見下ろす形になり、操作がしやすいだけでなく、表示内容を視認しやすくなっている。
【００１０】
また原稿台上に地図やポスターなどの大判原稿８を置いても、大判原稿８の原稿台上からはみ出す部分よりも操作部１０のほうが上方に位置するので、図４に示すように、はみ出した大判原稿８が操作部１０を上方から覆うことがない。したがって操作者は、大判原稿８のはみ出し部分に邪魔されずに操作表示部６の表示内容を視認したり、操作したりすることが可能である。
【００１１】
図５は、本発明に係る画像形成装置の第２の実施形態を示す斜視図である。本実施形態の装置は、圧板３の前面側に操作部２０を備えている点は先の実施形態装置と同様であるが、操作部２０を圧板３とは別体とし、上下方向で回動可能に支持して備えている。
【００１２】
本実施形態は、図示のように装置全体としての高さが低く、そのためデスク上などの高い位置に設置され、操作部２０の位置が高すぎて操作者が視認しにくくなる場合がある点を考慮したものである。すなわち、例えば図６に示すように操作部２０を図５の状態から下方に回動させ、操作表示部６等の面を垂直あるいは略垂直な状態とする。操作者によってはこの方が操作しやすい場合がある。またデスク上への設置やデスク脇のキャビネット上等に配置した場合には、立った状態でも座った状態でも同じような操作性をもって使用できる。もちろん、本実施形態を先の実施形態と同様に比較的背の高い画像形成装置に適用してもかまわない。さらには、操作表示部６のみ、あるいは操作表示部６だけでなくスタートスイッチ７等も含んでパネル状に構成し、かつ回動可能に設けたりすることも可能である。
【００１３】
【発明の効果】
請求項１に係る画像形成装置は、以上説明してきたように、装置本体上に設けた圧板に、操作内容や動作内容を表示する操作部を設けてなるので、大判原稿等のように圧板からのはみ出しがあっても操作部が隠されてしまうことがなく、操作部を確実に視認しつつ操作できるという効果がある。
【００１４】
請求項２に係る画像形成装置は、操作部の少なくとも操作面部の向きを可動にして備え、また請求項３に係る画像形成装置は、操作部を設けた部位を可動に支持してなるので、高い位置に操作部が設置されることになっても、操作部の面の向きを可変させることによって操作しやすい状態にすることができ、操作性を落とさないで使用できるようになるという効果がある。
【図面の簡単な説明】
【図１】従来の画像形成装置の全体構成を示す斜視図である。
【図２】図１の従来装置における問題を示す斜視図である。
【図３】本発明に係る画像形成装置の第１の実施形態を示す斜視図である。
【図４】図３の実施形態の使用状態の一例を示す斜視図である。
【図５】本発明に係る画像形成装置の第２の実施形態を示す斜視図である。
【図６】図４の実施形態の使用状態の一例を示す斜視図である。
【符号の説明】
１　装置本体
２　給紙部
３　圧板
４　排紙部
５　操作部
６　操作表示部
７　スタートキー
８　大判原稿
１０、２０　操作部
【図１】
2004015684.tif 000003
【図２】
2004015684.tif 000004
【図３】
2004015684.tif 000005
【図４】
2004015684.tif 000006
【図５】
2004015684.tif 000007
【図６】
2004015684.tif 000008